(57)【要約】【課題】無線通信媒体の内部に過多の誘導起電力が発生し、余剰エネルギにより無線通信媒体が加熱されて無応答となることを防ぐことができる無線通信媒体処理システム、無線通信媒体および無線通信装置を提供する。【解決手段】電磁波を利用して非接触ＩＣカードや無線タグ等の無線通信媒体と、この無線通信媒体との通信を行なう非接触ＩＣカードリーダライタや無線タグリーダライタ等の無線通信装置とを有して構成される無線通信媒体処理システムにおいて、無線通信媒体から送信される内部の温度情報に基づき、無線通信装置において送信回路へ供給される電源電圧を制御することによりアンテナから発生する誘導磁界（電磁波）の強度を調整する。【選択図】図１
2006340085.tif 000002
【特許請求の範囲】
【請求項１】
無線通信媒体と、この無線通信媒体に対し電磁波により動作用の電力を供給しながら当該無線通信媒体との間で無線通信を行なう無線通信装置とを有して構成される無線通信媒体処理システムであって、
前記無線通信媒体は、
前記無線通信装置との間で電磁波を用いた無線通信を行なうための第１のアンテナと、
この第１のアンテナと電気的に接続され、前記無線通信装置から送信される電磁波により前記第１のアンテナに発生する誘導起電力に基づき動作電圧を生成して動作し、所定の情報処理等を行なう機能を有するＩＣチップと、
少なくとも前記ＩＣチップの温度を検知する温度検知手段と、
この温度検知手段により検知された温度情報を前記第１のアンテナを介して前記無線通信装置に対し送信する送信手段とを具備し、
前記無線通信装置は、
前記無線通信媒体との間で電磁波を用いた無線通信を行なうための第２のアンテナと、
前記無線通信媒体から送信される電磁波を前記第２のアンテナを介して受信する受信部と、
送信データ等に基づき前記第２のアンテナを駆動することで当該第２のアンテナに電磁波を発生させる送信部と、
前記受信部により受信されたデータに基づく所定の情報処理および前記送信部への送信データの供給等を行なう制御部と、
前記受信部、送信部および制御部に対し動作用の電源電圧を供給する電源部と、
前記受信部が前記無線通信媒体から送信される温度情報を受信した際、当該温度情報に基づき前記電源部から前記送信部へ供給される電源電圧を制御することにより前記第２のアンテナから発生する電磁波の強度を調整する電磁波強度調整手段とを具備したことを特徴とする無線通信媒体処理システム。
【請求項２】
無線通信媒体と、この無線通信媒体に対し電磁波により動作用の電力を供給しながら当該無線通信媒体との間で無線通信を行なう無線通信装置とを有して構成される無線通信媒体処理システムであって、
前記無線通信媒体は、
前記無線通信装置との間で電磁波を用いた無線通信を行なうための第１のアンテナと、
この第１のアンテナと電気的に接続され、前記無線通信装置から送信される電磁波により前記第１のアンテナに発生する誘導起電力に基づき動作電圧を生成して動作し、所定の情報処理等を行なう機能を有するＩＣチップと、
少なくとも前記ＩＣチップの温度を検知する温度検知手段と、
この温度検知手段により検知された温度情報を前記第１のアンテナを介して前記無線通信装置に対し送信する送信手段とを具備し、
前記無線通信装置は、
前記無線通信媒体との間で電磁波を用いた無線通信を行なうための第２のアンテナと、
前記無線通信媒体から送信される電磁波を前記第２のアンテナを介して受信する受信部と、
送信データ等に基づき前記第２のアンテナを駆動することで当該第２のアンテナに電磁波を発生させる送信部と、
前記受信部により受信されたデータに基づく所定の情報処理および前記送信部への送信データの供給等を行なう制御部と、
前記受信部が前記無線通信媒体から送信される温度情報を受信した際、当該温度情報に基づき前記送信部の増幅率を制御することにより前記第２のアンテナから発生する電磁波の強度を調整する電磁波強度調整手段とを具備したことを特徴とする無線通信媒体処理システム。
【請求項３】
前記無線通信媒体の送信手段は、前記無線通信装置からの要求に応じて前記無線通信装置に対して送信するデータとともに前記検知された温度情報を送信することを特徴とする請求項１または請求項２記載の無線通信媒体処理システム。
【請求項４】
無線通信媒体と、この無線通信媒体に対し電磁波により動作用の電力を供給しながら当該無線通信媒体との間で無線通信を行なう無線通信装置とを有して構成される無線通信媒体処理システムであって、
前記無線通信媒体は、
前記無線通信装置との間で電磁波を用いた無線通信を行なうための第１のアンテナと、
この第１のアンテナと電気的に接続され、前記無線通信装置から送信される電磁波により前記第１のアンテナに発生する誘導起電力に基づき動作電圧を生成して動作し、所定の情報処理等を行なう機能を有するＩＣチップと、
前記第１のアンテナに発生した誘導起電力を検知する電力検知手段と、
この電力検知手段により検知された電力情報を前記第１のアンテナを介して前記無線通信装置に対し送信する送信手段とを具備し、
前記無線通信装置は、
前記無線通信媒体との間で電磁波を用いた無線通信を行なうための第２のアンテナと、
前記無線通信媒体から送信される電磁波を前記第２のアンテナを介して受信する受信部と、
送信データ等に基づき前記第２のアンテナを駆動することで当該第２のアンテナに電磁波を発生させる送信部と、
前記受信部により受信されたデータに基づく所定の情報処理および前記送信部への送信データの供給等を行なう制御部と、
前記受信部、送信部および制御部に対し動作用の電源電圧を供給する電源部と、
前記受信部が前記無線通信媒体から送信される電力情報を受信した際、当該電力情報に基づき前記電源部から前記送信部へ供給される電源電圧を制御することにより前記第２のアンテナから発生する電磁波の強度を調整する電磁波強度調整手段とを具備したことを特徴とする無線通信媒体処理システム。
【請求項５】
無線通信媒体と、この無線通信媒体に対し電磁波により動作用の電力を供給しながら当該無線通信媒体との間で無線通信を行なう無線通信装置とを有して構成される無線通信媒体処理システムであって、
前記無線通信媒体は、
前記無線通信装置との間で電磁波を用いた無線通信を行なうための第１のアンテナと、
この第１のアンテナと電気的に接続され、前記無線通信装置から送信される電磁波により前記第１のアンテナに発生する誘導起電力に基づき動作電圧を生成して動作し、所定の情報処理等を行なう機能を有するＩＣチップと、
前記第１のアンテナに発生した誘導起電力を検知する電力検知手段と、
この電力検知手段により検知された電力情報を前記第１のアンテナを介して前記無線通信装置に対し送信する送信手段とを具備し、
前記無線通信装置は、
前記無線通信媒体との間で電磁波を用いた無線通信を行なうための第２のアンテナと、
前記無線通信媒体から送信される電磁波を前記第２のアンテナを介して受信する受信部と、
送信データ等に基づき前記第２のアンテナを駆動することで当該第２のアンテナに電磁波を発生させる送信部と、
前記受信部により受信されたデータに基づく所定の情報処理および前記送信部への送信データの供給等を行なう制御部と、
前記受信部が前記無線通信媒体から送信される電力情報を受信した際、当該電力情報に基づき前記送信部の増幅率を制御することにより前記第２のアンテナから発生する電磁波の強度を調整する電磁波強度調整手段とを具備したことを特徴とする無線通信媒体処理システム。
【請求項６】
前記無線通信媒体の送信手段は、前記無線通信装置からの要求に応じて前記無線通信装置に対して送信するデータとともに前記検知された電力情報を送信することを特徴とする請求項４または請求項５記載の無線通信媒体処理システム。
【請求項７】
無線通信装置から送信される電磁波により動作用の電力が供給されて動作し、前記無線通信装置との間で電磁波を用いた無線通信を行なう無線通信媒体であって、
前記無線通信装置との間で電磁波を用いた無線通信を行なうためのアンテナと、
このアンテナと電気的に接続され、前記無線通信装置から送信される電磁波により前記アンテナに発生する誘導起電力に基づき動作電圧を生成して動作し、所定の情報処理等を行なう機能を有するＩＣチップと、
少なくとも前記ＩＣチップの温度を検知する温度検知手段と、
この温度検知手段により検知された温度情報を前記アンテナを介して前記無線通信装置に対し送信する送信手段と、
を具備したことを特徴とする無線通信媒体。
【請求項８】
前記送信手段は、前記無線通信装置からの要求に応じて前記無線通信装置に対して送信するデータとともに前記検知された温度情報を送信することを特徴とする請求項７記載の無線通信媒体。
【請求項９】
無線通信装置から送信される電磁波により動作用の電力が供給されて動作し、前記無線通信装置との間で電磁波を用いた無線通信を行なう無線通信媒体であって、
前記無線通信装置との間で電磁波を用いた無線通信を行なうためのアンテナと、
このアンテナと電気的に接続され、前記無線通信装置から送信される電磁波により前記アンテナに発生する誘導起電力に基づき動作電圧を生成して動作し、所定の情報処理等を行なう機能を有するＩＣチップと、
前記アンテナに発生した誘導起電力を検知する電力検知手段と、
この電力検知手段により検知された電力情報を前記アンテナを介して前記無線通信装置に対し送信する送信手段と、
を具備したことを特徴とする無線通信媒体。
【請求項１０】
前記送信手段は、前記無線通信装置からの要求に応じて前記無線通信装置に対して送信するデータとともに前記検知された電力情報を送信することを特徴とする請求項９記載の無線通信媒体。
【請求項１１】
外部装置から送信される電磁波により動作用の電力が供給されて動作し、かつ、内部の温度を検知してその温度情報を外部装置へ送信する機能を有する無線通信媒体との間で無線通信を行なう無線通信装置であって、
前記無線通信媒体との間で電磁波を用いた無線通信を行なうためのアンテナと、
前記無線通信媒体から送信される電磁波を前記アンテナを介して受信する受信部と、
送信データ等に基づき前記アンテナを駆動することで当該アンテナに電磁波を発生させる送信部と、
前記受信部により受信されたデータに基づく所定の情報処理および前記送信部への送信データの供給等を行なう制御部と、
前記受信部、送信部および制御部に対し動作用の電源電圧を供給する電源部と、
前記受信部が前記無線通信媒体から送信される温度情報を受信した際、当該温度情報に基づき前記電源部から前記送信部へ供給される電源電圧を制御することにより前記アンテナから発生する電磁波の強度を調整する電磁波強度調整手段と、
を具備したことを特徴とする無線通信装置。
【請求項１２】
外部装置から送信される電磁波により動作用の電力が供給されて動作し、かつ、内部の温度を検知してその温度情報を外部装置へ送信する機能を有する無線通信媒体との間で無線通信を行なう無線通信装置であって、
前記無線通信媒体との間で電磁波を用いた無線通信を行なうためのアンテナと、
前記無線通信媒体から送信される電磁波を前記アンテナを介して受信する受信部と、
送信データ等に基づき前記アンテナを駆動することで当該アンテナに電磁波を発生させる送信部と、
前記受信部により受信されたデータに基づく所定の情報処理および前記送信部への送信データの供給等を行なう制御部と、
前記受信部が前記無線通信媒体から送信される温度情報を受信した際、当該温度情報に基づき前記送信部の増幅率を制御することにより前記アンテナから発生する電磁波の強度を調整する電磁波強度調整手段と、
を具備したことを特徴とする無線通信装置。
【請求項１３】
外部装置から送信される電磁波により動作用の電力が供給されて動作し、かつ、内部の温度を検知してその温度情報を外部装置へ送信する機能を有する無線通信媒体との間で無線通信を行なう無線通信装置であって、
前記無線通信媒体との間で電磁波を用いた無線通信を行なうための第２のアンテナと、
前記無線通信媒体から送信される電磁波を前記第２のアンテナを介して受信する受信部と、
送信データ等に基づき前記第２のアンテナを駆動することで当該第２のアンテナに電磁波を発生させる送信部と、
前記受信部により受信されたデータに基づく所定の情報処理および前記送信部への送信データの供給等を行なう制御部と、
前記受信部、送信部および制御部に対し動作用の電源電圧を供給する電源部と、
前記受信部が前記無線通信媒体から送信される電力情報を受信した際、当該電力情報に基づき前記電源部から前記送信部へ供給される電源電圧を制御することにより前記アンテナから発生する電磁波の強度を調整する電磁波強度調整手段と、
を具備したことを特徴とする無線通信装置。
【請求項１４】
外部装置から送信される電磁波により動作用の電力が供給されて動作し、かつ、内部の温度を検知してその温度情報を外部装置へ送信する機能を有する無線通信媒体との間で無線通信を行なう無線通信装置であって、
前記無線通信媒体との間で電磁波を用いた無線通信を行なうためのアンテナと、
前記無線通信媒体から送信される電磁波を前記アンテナを介して受信する受信部と、
送信データ等に基づき前記アンテナを駆動することで当該アンテナに電磁波を発生させる送信部と、
前記受信部により受信されたデータに基づく所定の情報処理および前記送信部への送信データの供給等を行なう制御部と、
前記受信部が前記無線通信媒体から送信される電力情報を受信した際、当該電力情報に基づき前記送信部の増幅率を制御することにより前記アンテナから発生する電磁波の強度を調整する電磁波強度調整手段と、
を具備したことを特徴とする無線通信装置。
【発明の詳細な説明】
【技術分野】
【０００１】
本発明は、たとえば、電磁波を利用して非接触ＩＣカードや無線タグ等の無線通信媒体と、この無線通信媒体との通信を行なう非接触ＩＣカードリーダライタや無線タグリーダライタ等の無線通信装置とを有して構成される無線通信媒体処理システム、および、この無線通信媒体処理システムに用いられる無線通信媒体および無線通信装置に関する。
【背景技術】
【０００２】
一般に、この種の無線通信媒体処理システムにおいては、非接触ＩＣカード等の無線通信媒体は、外部装置である非接触ＩＣカードリーダライタ等の無線通信装置から送信される電磁波（誘導磁界）によりループアンテナに発生する誘導起電力に基づき動作電圧を生成して動作するようになっている。
【０００３】
そして、この種の無線通信媒体では、外部装置である無線通信装置から過大な誘導磁界（過大電力）が印加された場合、それに伴い発熱するＩＣチップ内の温度を温度検知手段により検知し、ＩＣチップ内の温度が所定のレベル以上と判断されたとき、ＩＣチップの動作を停止させている。その場合、温度検知手段はハードウェアにて構成され、温度異常を検知した場合、ＩＣチップ内のＣＰＵに割込み信号を出力する。ＣＰＵは、この割込み信号を受信し、ファームウェアにてＩＣチップ動作のホルト（停止）を行なっている（たとえば、特許文献１、特許文献２参照）。
【特許文献１】特開２００１−１４３０３５号公報
【特許文献１】特開２００２−１０９４９５号公報
【発明の開示】
【発明が解決しようとする課題】
【０００４】
上記したように、無線通信装置からの誘導磁界によって無線通信媒体の駆動電力を得る無線通信媒体処理システムの場合、無線通信装置が発生する誘導磁界の強度が強すぎたり、無線通信媒体と無線通信装置との距離が近すぎたりして、無線通信媒体内のループアンテナに過多に誘導起電力が発生した場合、余剰エネルギによりＩＣチップが加熱されて上記したような保護手段により当該無線通信媒体が動作しなくなり、無線通信装置に対し応答を返さなくなる場合があるという問題がある。
【０００５】
そこで、本発明は、無線通信媒体内部の温度情報または電力情報に基づいて無線通信装置から発生する誘導磁界の強度を調整することで、無線通信媒体の内部に過多の誘導起電力が発生し、余剰エネルギにより無線通信媒体が加熱されて無応答となることを防ぐことができる無線通信媒体処理システム、無線通信媒体および無線通信装置を提供することを目的とする。
【０００６】
また、本発明は、無線通信媒体に対して適切な強度の誘導磁界を発生するように自動調整することができ、周囲への影響を必要最小限にすることができる無線通信媒体処理システム、無線通信媒体および無線通信装置を提供することを目的とする。
【課題を解決するための手段】
【０００７】
本発明の無線通信媒体処理システムは、無線通信媒体と、この無線通信媒体に対し電磁波により動作用の電力を供給しながら当該無線通信媒体との間で無線通信を行なう無線通信装置とを有して構成される無線通信媒体処理システムであって、前記無線通信媒体は、前記無線通信装置との間で電磁波を用いた無線通信を行なうための第１のアンテナと、この第１のアンテナと電気的に接続され、前記無線通信装置から送信される電磁波により前記第１のアンテナに発生する誘導起電力に基づき動作電圧を生成して動作し、所定の情報処理等を行なう機能を有するＩＣチップと、少なくとも前記ＩＣチップの温度を検知する温度検知手段と、この温度検知手段により検知された温度情報を前記第１のアンテナを介して前記無線通信装置に対し送信する送信手段とを具備し、前記無線通信装置は、前記無線通信媒体との間で電磁波を用いた無線通信を行なうための第２のアンテナと、前記無線通信媒体から送信される電磁波を前記第２のアンテナを介して受信する受信部と、送信データ等に基づき前記第２のアンテナを駆動することで当該第２のアンテナに電磁波を発生させる送信部と、前記受信部により受信されたデータに基づく所定の情報処理および前記送信部への送信データの供給等を行なう制御部と、前記受信部、送信部および制御部に対し動作用の電源電圧を供給する電源部と、前記受信部が前記無線通信媒体から送信される温度情報を受信した際、当該温度情報に基づき前記電源部から前記送信部へ供給される電源電圧を制御することにより前記第２のアンテナから発生する電磁波の強度を調整する電磁波強度調整手段とを具備している。
【０００８】
また、本発明の無線通信媒体は、無線通信装置から送信される電磁波により動作用の電力が供給されて動作し、前記無線通信装置との間で電磁波を用いた無線通信を行なう無線通信媒体であって、前記無線通信装置との間で電磁波を用いた無線通信を行なうためのアンテナと、このアンテナと電気的に接続され、前記無線通信装置から送信される電磁波により前記アンテナに発生する誘導起電力に基づき動作電圧を生成して動作し、所定の情報処理等を行なう機能を有するＩＣチップと、少なくとも前記ＩＣチップの温度を検知する温度検知手段と、この温度検知手段により検知された温度情報を前記アンテナを介して前記無線通信装置に対し送信する送信手段とを具備している。
【０００９】
さらに、本発明の無線通信装置は、外部装置から送信される電磁波により動作用の電力が供給されて動作し、かつ、内部の温度を検知してその温度情報を外部装置へ送信する機能を有する無線通信媒体との間で無線通信を行なう無線通信装置であって、前記無線通信媒体との間で電磁波を用いた無線通信を行なうためのアンテナと、前記無線通信媒体から送信される電磁波を前記アンテナを介して受信する受信部と、送信データ等に基づき前記アンテナを駆動することで当該アンテナに電磁波を発生させる送信部と、前記受信部により受信されたデータに基づく所定の情報処理および前記送信部への送信データの供給等を行なう制御部と、前記受信部、送信部および制御部に対し動作用の電源電圧を供給する電源部と、前記受信部が前記無線通信媒体から送信される温度情報を受信した際、当該温度情報に基づき前記電源部から前記送信部へ供給される電源電圧を制御することにより前記アンテナから発生する電磁波の強度を調整する電磁波強度調整手段とを具備している。
【発明の効果】
【００１０】
本発明によれば、無線通信媒体内部の温度情報または電力情報に基づいて無線通信装置から発生する誘導磁界の強度を調整することで、無線通信媒体の内部に過多の誘導起電力が発生し、余剰エネルギにより無線通信媒体が加熱されて無応答となることを防ぐことができる無線通信媒体処理システム、無線通信媒体および無線通信装置を提供できる。
【００１１】
また、本発明によれば、無線通信媒体に対して適切な強度の誘導磁界を発生するように自動調整することができ、周囲への影響を必要最小限にすることができる無線通信媒体処理システム、無線通信媒体および無線通信装置を提供できる。
【発明を実施するための最良の形態】
【００１２】
以下、本発明の実施の形態について図面を参照して説明する。  
まず、第１の実施の形態について説明する。  
図１は、第１の実施の形態に係る無線通信媒体処理システムの構成を概略的に示すものである。この無線通信媒体処理システムは、上位装置１０に通信可能に接続された非接触ＩＣカードリーダライタや無線タグリーダライタ等の無線通信装置２０、および、この無線通信装置２０の近傍に位置する非接触ＩＣカードや無線タグ等の無線通信媒体３０を有して構成される。  
上位装置１０は、無線通信装置２０に対し信号伝送等に関するコマンドを送出するとともに、無線通信装置２０から無線通信媒体３０との通信結果等を受取る。
【００１３】
無線通信装置２０は、無線通信媒体３０との間で電磁波を用いた無線通信を行なうためのアンテナ２１、無線通信媒体３０から送信される電磁波をアンテナ２１を介して受信する受信部としての受信回路２２、送信データ等に基づきアンテナ２１を駆動することで当該アンテナ２１に電磁波を発生させる送信部としての送信回路２３、受信回路２２により受信されたデータに基づく所定の情報処理および送信回路２３への送信データの供給等を行なう制御部としてのＣＰＵ（セントラル・プロセッシング・ユニット）２４、受信回路２２、送信回路２３およびＣＰＵ２４に対し動作用の電源電圧を供給する電源部ととしての電源回路２５を有して構成されている。
【００１４】
電源回路２５は、外部から供給される電源電圧を安定化した後、受信回路２２、送信回路２３およびＣＰＵ２４に対しそれぞれ供給するもので、そのうち送信回路２３へ供給する電源電圧は、必要に応じてＣＰＵ２４から供給される制御信号に応じて可変制御するようになっている。
【００１５】
無線通信媒体３０は、無線通信装置２０との間で電磁波を用いた無線通信を行なうためのループアンテナ３１、このアンテナ３１と接続された送受信回路３２、この送受信回路３２と接続された制御用のＣＰＵ３３、無線通信装置２０から送信される電磁波によりアンテナ３１に発生する誘導起電力に基づき動作電圧を生成して各部に供給する電源生成部３４を有して構成されていて、無線通信装置２０のアンテナ２１から発生する誘導磁界によってアンテナ３１に発生する誘導起電力で駆動されるようになっている。
【００１６】
ここに、アンテナ３１を除く送受信回路３２およびＣＰＵ３３は、少なくとも１つのＩＣチップ３５により構成されて、アンテナ３１とともにカード本体内に埋設されている。ＩＣチップ３５内には、当該ＩＣチップ３５の温度を検知する温度検知手段としての温度監視回路３６が設けられていて、その温度検知信号（温度情報）はＣＰＵ３３に送られる。
【００１７】
次に、このような構成において第１の実施の形態に係る無線通信媒体処理システムの動作を図２に示すフローチャートを参照して説明する。  
まず、無線通信媒体３０が無線通信装置２０の通信可能エリア内に進入すると、無線通信装置２０のアンテナ２１からの誘導磁界によってアンテナ３１に誘導起電力が発生し、当該無線通信媒体３０が駆動して無線通信装置２０との通信を開始し（ステップＳ１）、たとえば、無線通信装置２０からのコマンドに応じて所定のデータを返信する（ステップＳ２）。
【００１８】
ここで、無線通信媒体３０の駆動時、無線通信媒体３０内の温度監視回路３６は、ＩＣチップ３５の温度を常に監視していて、検知された温度情報はＣＰＵ３３に送られる。このとき、たとえば、当該無線通信媒体３０周囲の誘導磁界の強度が強すぎて、アンテナ３１に過多の誘導起電力が発生し、余剰エネルギによって無線通信媒体３０内の温度（ＩＣチップ３５の温度）があらかじめ設定される閾値を超えて上昇すると、ＣＰＵ３３の制御のもと、当該無線通信媒体３０から無線通信装置２０へその旨が通知される。
【００１９】
ここに、検知した温度情報の通知手段としては、たとえば、当該無線通信媒体３０から無線通信装置２０へ返信するデータの中に常に温度上昇通知用ビットを設けておき、温度があらかじめ設定される閾値を超えていなければ「０」、閾値を超えていれば「１」がセットされるようにして無線通信装置２０に対し通知する。
【００２０】
無線通信装置２０では、ＣＰＵ２４が無線通信媒体３０から送られたデータの中の温度上昇通知用ビットの状態を常に監視していて（ステップＳ３）、この温度上昇通知用ビットが「１」になっていれば、無線通信装置２０がアンテナ２１から過多の強度の誘電磁界を発生させているとして、電源回路２５に電圧制御コマンドを送ることで、送信回路２３へ供給する電源電圧を温度上昇通知用ビットが「０」になるまで下げていく（ステップＳ４）。
【００２１】
一方、温度上昇通知用ビットが「１」になっていなければ（すなわち、「０」になっていれば）、無線通信装置２０がアンテナ２１から正常な強度の誘電磁界を発生させているとして、送信回路２３への電源電圧の制御は行なわず、無線通信媒体３０と無線通信装置２０との通信が終了すると（ステップＳ５）、送信回路２３へ供給された電源電圧はデフォルト値に戻す（ステップＳ６）。
【００２２】
以上のような制御により、無線通信媒体３０のアンテナ３１に過多の誘導起電力が発生し、余剰エネルギによって無線通信媒体３０（ＩＣチップ３５）が加熱されて、当該無線通信媒体３０が無応答状態になることを確実に防止することができる。
【００２３】
次に、第２の実施の形態について説明する。  
図３は、第２の実施の形態に係る無線通信媒体処理システムの構成を概略的に示すものである。第２の実施の形態は、無線通信装置２０および無線通信媒体３０の構成は基本的には前述した第１の実施の形態と同様であるので同一符号を付して説明は省略し、異なる部分について説明する。
【００２４】
第２の実施の形態の場合、電源回路２５は、送信回路２３へ供給する電源電圧の可変制御は行なわない。その代わり、送信回路２３内のアンテナ駆動信号を増幅する増幅回路２６の増幅率が、必要に応じてＣＰＵ２４から供給される制御信号に応じて可変制御されるようになっている。
【００２５】
次に、このような構成において第２の実施の形態に係る無線通信媒体処理システムの動作を図４に示すフローチャートを参照して説明する。  
まず、無線通信媒体３０が無線通信装置２０の通信可能エリア内に進入すると、無線通信装置２０のアンテナ２１からの誘導磁界によってアンテナ３１に誘導起電力が発生し、当該無線通信媒体３０が駆動して無線通信装置２０との通信を開始し（ステップＳ１１）、たとえば、無線通信装置２０からのコマンドに応じて所定のデータを返信する（ステップＳ１２）。
【００２６】
ここで、無線通信媒体３０の駆動時、無線通信媒体３０内の温度監視回路３６は、ＩＣチップ３５の温度を常に監視していて、検知された温度情報はＣＰＵ３３に送られる。このとき、たとえば、当該無線通信媒体３０周囲の誘導磁界の強度が強すぎて、アンテナ３１に過多の誘導起電力が発生し、余剰エネルギによって無線通信媒体３０内の温度（ＩＣチップ３５の温度）があらかじめ設定される閾値を超えて上昇すると、ＣＰＵ３３の制御のもと、当該無線通信媒体３０から無線通信装置２０へその旨が通知される。
【００２７】
ここに、検知した温度情報の通知手段としては、たとえば、当該無線通信媒体３０から無線通信装置２０へ返信するデータの中に常に温度上昇通知用ビットを設けておき、温度があらかじめ設定される閾値を超えていなければ「０」、閾値を超えていれば「１」がセットされるようにして無線通信装置２０に対し通知する。
【００２８】
無線通信装置２０では、ＣＰＵ２４が無線通信媒体３０から送られたデータの中の温度上昇通知用ビットの状態を常に監視していて（ステップＳ１３）、この温度上昇通知用ビットが「１」になっていれば、無線通信装置２０がアンテナ２１から過多の強度の誘電磁界を発生させているとして、送信回路２３内の増幅回路２６へ増幅率制御にコマンドを送ることで、増幅回路２６の増幅率を温度上昇通知用ビットが「０」になるまで低下させていく（ステップＳ１４）。
【００２９】
一方、温度上昇通知用ビットが「１」になっていなければ（すなわち、「０」になっていれば）、無線通信装置２０がアンテナ２１から正常な強度の誘電磁界を発生させているとして、送信回路２３内の増幅回路２６に対する増幅率の制御は行なわず、無線通信媒体３０と無線通信装置２０との通信が終了すると（ステップＳ１５）、送信回路２３における増幅回路２６の増幅率はデフォルト値に戻す（ステップＳ１６）。
【００３０】
以上のような制御により、無線通信媒体３０のアンテナ３１に過多の誘導起電力が発生し、余剰エネルギによって無線通信媒体３０（ＩＣチップ３５）が加熱されて、当該無線通信媒体３０が無応答状態になることを確実に防止することができる。
【００３１】
次に、第３の実施の形態について説明する。  
図５は、第３の実施の形態に係る無線通信媒体処理システムの構成を概略的に示すものである。第３の実施の形態の第１の実施の形態と異なる点は、無線通信媒体３０において、温度監視回路３６が電力検知手段としての電力監視回路３７に置き換わった点にあり、その他の構成は前述した第１の実施の形態と同様であるので同一部分には同一符号を付して説明は省略し、異なる部分について説明する。  
電力監視回路３７は、アンテナ３１に発生する誘導起電力を常に監視し、その電力検知信号（電力情報）をＣＰＵ３３に送るようになっている。
【００３２】
次に、このような構成において第３の実施の形態に係る無線通信媒体処理システムの動作を図６に示すフローチャートを参照して説明する。  
まず、無線通信媒体３０が無線通信装置２０の通信可能エリア内に進入すると、無線通信装置２０のアンテナ２１からの誘導磁界によってアンテナ３１に誘導起電力が発生し、当該無線通信媒体３０が駆動して無線通信装置２０との通信を開始し（ステップＳ２１）、たとえば、無線通信装置２０からのコマンドに応じて所定のデータを返信する（ステップＳ２２）。
【００３３】
ここで、無線通信媒体３０の駆動時、無線通信媒体３０内の電力監視回路３７は、アンテナ３１に発生する誘導起電力を常に監視していて、検知された電力情報はＣＰＵ３３に送られる。このとき、たとえば、当該無線通信媒体３０周囲の誘導磁界の強度が強すぎて、アンテナ３１に過多の誘導起電力が発生し、当該誘導起電力があらかじめ設定される閾値を超えて上昇すると、ＣＰＵ３３の制御のもと、当該無線通信媒体３０から無線通信装置２０へその旨が通知される。
【００３４】
ここに、検知した電力情報の通知手段としては、たとえば、当該無線通信媒体３０から無線通信装置２０へ返信するデータの中に常に電力上昇通知用ビットを設けておき、電力があらかじめ設定される閾値を超えていなければ「０」、閾値を超えていれば「１」がセットされるようにして無線通信装置２０に対し通知する。
【００３５】
無線通信装置２０では、ＣＰＵ２４が無線通信媒体３０から送られたデータの中の電力上昇通知用ビットの状態を常に監視していて（ステップＳ２３）、この電力上昇通知用ビットが「１」になっていれば、無線通信装置２０がアンテナ２１から過多の強度の誘電磁界を発生させているとして、電源回路２５に電圧制御コマンドを送ることで、送信回路２３へ供給する電源電圧を電力上昇通知用ビットが「０」になるまで下げていく（ステップＳ２４）。
【００３６】
一方、電力上昇通知用ビットが「１」になっていなければ（すなわち、「０」になっていれば）、無線通信装置２０がアンテナ２１から正常な強度の誘電磁界を発生させているとして、送信回路２３への電源電圧の制御は行なわず、無線通信媒体３０と無線通信装置２０との通信が終了すると（ステップＳ２５）、送信回路２３へ供給された電源電圧はデフォルト値に戻す（ステップＳ２６）。
【００３７】
以上のような制御により、無線通信媒体３０のアンテナ３１に過多の誘導起電力が発生し、余剰エネルギによって無線通信媒体３０（ＩＣチップ３５）が加熱されて、当該無線通信媒体３０が無応答状態になることを確実に防止することができる。
【００３８】
次に、第４の実施の形態について説明する。  
図７は、第４の実施の形態に係る無線通信媒体処理システムの構成を概略的に示すものである。第４の実施の形態は、無線通信装置２０および無線通信媒体３０の構成は基本的には前述した第３の実施の形態と同様であるので同一符号を付して説明は省略し、異なる部分について説明する。
【００３９】
第４の実施の形態の場合、電源回路２５は、送信回路２３へ供給する電源電圧の可変制御は行なわない。その代わり、送信回路２３内のアンテナ駆動信号を増幅する増幅回路２６の増幅率が、必要に応じてＣＰＵ２４から供給される制御信号に応じて可変制御されるようになっている。
【００４０】
次に、このような構成において第４の実施の形態に係る無線通信媒体処理システムの動作を図８に示すフローチャートを参照して説明する。  
まず、無線通信媒体３０が無線通信装置２０の通信可能エリア内に進入すると、無線通信装置２０のアンテナ２１からの誘導磁界によってアンテナ３１に誘導起電力が発生し、当該無線通信媒体３０が駆動して無線通信装置２０との通信を開始し（ステップＳ３１）、たとえば、無線通信装置２０からのコマンドに応じて所定のデータを返信する（ステップＳ３２）。
【００４１】
ここで、無線通信媒体３０の駆動時、無線通信媒体３０内の電力監視回路３７は、アンテナ３１に発生する誘導起電力を常に監視していて、検知された電力情報はＣＰＵ３３に送られる。このとき、たとえば、当該無線通信媒体３０周囲の誘導磁界の強度が強すぎて、アンテナ３１に過多の誘導起電力が発生し、当該誘導起電力があらかじめ設定される閾値を超えて上昇すると、ＣＰＵ３３の制御のもと、当該無線通信媒体３０から無線通信装置２０へその旨が通知される。
【００４２】
ここに、検知した電力情報の通知手段としては、たとえば、当該無線通信媒体３０から無線通信装置２０へ返信するデータの中に常に電力上昇通知用ビットを設けておき、電力があらかじめ設定される閾値を超えていなければ「０」、閾値を超えていれば「１」がセットされるようにして無線通信装置２０に対し通知する。
【００４３】
無線通信装置２０では、ＣＰＵ２４が無線通信媒体３０から送られたデータの中の電力上昇通知用ビットの状態を常に監視していて（ステップＳ３３）、この電力上昇通知用ビットが「１」になっていれば、無線通信装置２０がアンテナ２１から過多の強度の誘電磁界を発生させているとして、送信回路２３内の増幅回路２６へ増幅率制御にコマンドを送ることで、増幅回路２６の増幅率を電力上昇通知用ビットが「０」になるまで低下させていく（ステップＳ３４）。
【００４４】
一方、電力上昇通知用ビットが「１」になっていなければ（すなわち、「０」になっていれば）、無線通信装置２０がアンテナ２１から正常な強度の誘電磁界を発生させているとして、送信回路２３内の増幅回路２６に対する増幅率の制御は行なわず、無線通信媒体３０と無線通信装置２０との通信が終了すると（ステップＳ３５）、送信回路２３における増幅回路２６の増幅率はデフォルト値に戻す（ステップＳ３６）。
【００４５】
以上のような制御により、無線通信媒体３０のアンテナ３１に過多の誘導起電力が発生し、余剰エネルギによって無線通信媒体３０（ＩＣチップ３５）が加熱されて、当該無線通信媒体３０が無応答状態になることを確実に防止することができる。
【００４６】
以上説明したように上記実施の形態によれば、無線通信媒体内部の温度情報または電力情報に基づいて無線通信装置から発生する誘導磁界の強度を調整することで、無線通信媒体の内部に過多の誘導起電力が発生し、余剰エネルギにより無線通信媒体が加熱されて無応答となることを防ぐことができる。
【００４７】
また、無線通信媒体に対して適切な強度の誘導磁界を発生するように自動調整することができ、周囲への影響を必要最小限にすることができる。
【図面の簡単な説明】
【００４８】
【図１】本発明の第１の実施の形態に係る無線通信媒体処理システムの構成を概略的に示すブロック図。
【図２】第１の実施の形態に係る無線通信媒体処理システムの動作を説明するフローチャート。
【図３】本発明の第２の実施の形態に係る無線通信媒体処理システムの構成を概略的に示すブロック図。
【図４】第２の実施の形態に係る無線通信媒体処理システムの動作を説明するフローチャート。
【図５】本発明の第３の実施の形態に係る無線通信媒体処理システムの構成を概略的に示すブロック図。
【図６】第３の実施の形態に係る無線通信媒体処理システムの動作を説明するフローチャート。
【図７】本発明の第４の実施の形態に係る無線通信媒体処理システムの構成を概略的に示すブロック図。
【図８】第４の実施の形態に係る無線通信媒体処理システムの動作を説明するフローチャート。
【符号の説明】
【００４９】
１０…上位装置、２０…無線通信装置、２１…アンテナ（第２のアンテナ）、２２…受信回路（受信部）、２３…送信回路（送信部）、２４…ＣＰＵ（制御部）、２５…電源回路（電源部）、２６…増幅回路、３０…無線通信媒体、３１…ループアンテナ（第１のアンテナ）、３２…送受信回路、３３…ＣＰＵ、３４…電源生成部、３５…ＩＣチップ、３６…温度監視回路（温度検知手段）、３７…電力監視回路（電力検知手段）。
【図１】
2006340085.tif 000003
【図２】
2006340085.tif 000004
【図３】
2006340085.tif 000005
【図４】
2006340085.tif 000006
【図５】
2006340085.tif 000007
【図６】
2006340085.tif 000008
【図７】
2006340085.tif 000009
【図８】
2006340085.tif 000010